(57)【要約】【課題】  被転写体の初期磁化用及び／又は磁化反転用の磁界印加装置において、磁界印加対象に対して不要な磁界がかかることを抑制し、高精度な磁気転写を実施することを可能とする。【解決手段】  磁界印加装置１は、少なくとも磁界印加時に磁界印加対象３０の両面側に各々互いに対向するよう配置され、所望方向の磁界を発生する一対の磁界印加手段４０を備え、各磁界印加手段４０は、一方から他方へ向かって発生する磁界の方向が所望方向Ｈｘである、磁界印加対象３０側の極性が異なる一対の磁石部４１、４２を有するものであり、一対の磁石部４１、４２においては、個々の磁石部が、対向する磁石部の側から反対側に向けて、磁界印加対象３０にかかる磁力が、段階的又は連続的に弱くなるよう構成されている。【選択図】  図２
2006202360.tif 000002
【特許請求の範囲】
【請求項１】
被転写体を所定方向に初期磁化した後、該被転写体と転写用原盤とを密着させて、初期磁化方向と反対方向に磁界を印加し、前記転写用原盤の表面パターンに応じて、前記被転写体の磁化を反転させて、信号パターンを転写する磁気転写に用いられ、前記被転写体の初期磁化用及び／又は磁化反転用である磁界印加装置において、
少なくとも磁界印加時に磁界印加対象の両面側に各々互いに対向するよう配置され、所望方向の磁界を発生する一対の磁界印加手段を備え、
前記磁界印加手段は、一方から他方へ向かって発生する磁界の方向が所望の磁界方向である、前記磁界印加対象側の極性が異なる一対の磁石部を有するものであり、該一対の磁石部においては、個々の磁石部が、対向する磁石部の側から反対側に向けて、前記磁界印加対象にかかる磁力が、段階的又は連続的に弱くなるよう構成されていることを特徴とする磁界印加装置。
【請求項２】
前記一対の磁石部においては、個々の磁石部が、対向する磁石部の側から反対側に向けて、前記磁界印加対象にかかる磁力が弱くなるよう配置された複数の磁石により構成されていることを特徴とする請求項１に記載の磁界印加装置。
【請求項３】
前記一対の磁石部においては、個々の磁石部が、対向する磁石部の側から反対側に向けて、前記磁界印加対象との離間距離が大きくなるよう配置された複数の磁石により構成されていることを特徴とする請求項２に記載の磁界印加装置。
【請求項４】
前記被転写体がディスク状であり、前記一対の磁界印加手段が前記磁界印加対象に対してトラック方向の磁界を印加するものであり、
前記一対の磁界印加手段の前記磁界印加対象の中心側に、該磁界印加手段とは逆方向の磁界を発生する逆磁界発生手段をさらに備えたことを特徴とする請求項１〜３のいずれかに記載の磁界印加装置。
【請求項５】
前記一対の磁界印加手段のうち少なくとも一方は、前記一対の磁石部の間に、該一対の磁石部の磁化方向に対して垂直方向に磁化され、前記一対の磁石部の一方から他方へ向かって発生する磁界の方向と同一方向の磁界を発生する永久磁石をさらに備えたことを特徴とする請求項１〜４のいずれかに記載の磁界印加装置。
【請求項６】
被転写体を所定方向に初期磁化した後、該被転写体と転写用原盤とを密着させて、初期磁化方向と反対方向に磁界を印加し、前記転写用原盤の表面パターンに応じて、前記被転写体の磁化を反転させて、信号パターンを転写する磁気転写装置において、
前記被転写体の初期磁化用及び／又は磁化反転用として、請求項１〜５のいずれかに記載の磁界印加装置を備えたことを特徴とする磁気転写装置。
【請求項７】
被転写体を所定方向に初期磁化した後、該被転写体と転写用原盤とを密着させて、初期磁化方向と反対方向に磁界を印加し、前記転写用原盤の表面パターンに応じて、前記被転写体の磁化を反転させて、信号パターンを転写する磁気記録媒体の製造方法において、
請求項１〜５のいずれかに記載の磁界印加装置を用いて、前記被転写体の初期磁化及び／又は磁化反転を実施することを特徴とする磁気記録媒体の製造方法。
【発明の詳細な説明】
【技術分野】
【０００１】
本発明は、磁気転写を実施する際に、被転写体の初期磁化用及び／又は磁化反転用として使用される磁界印加装置、これを備えた磁気転写装置、及び磁気記録媒体の製造方法に関する。
【背景技術】
【０００２】
磁気記録媒体の製造技術として、表面に所定の凹凸パターンを有し、少なくとも表面が磁性化された転写用原盤（マスタ担体）を用い、被転写体（スレーブ媒体）に対して、転写用原盤の表面凹凸パターンに応じた情報を磁気転写する技術がある。一般に、磁気転写では、被転写体を特定トラック方向に初期磁化した後、被転写体と転写用原盤とを密着させて、初期磁化方向と反対方向に磁界を印加し、転写用原盤の表面凹凸パターンに応じて、被転写体の磁化を反転させ、信号パターンを転写する。
【０００３】
被転写体の初期磁化及び／又は磁化反転に使用される磁界印加装置は、特許文献１等に開示されている。
【０００４】
従来の磁界印加装置は、図７（ａ）（トラック方向側面図）に示す如く、一方から他方へ向かって発生する磁界の方向が所望方向Ｈｘである、磁界印加対象１２０側の極性が異なる一対の磁石１１１、１１２からなる磁界印加手段１１０により概略構成される。磁界印加手段１１０を磁界印加対象１２０の片面側に配置した場合、磁界印加対象１２０に対して、トラック方向（水平方向）以外の不要な垂直方向の磁界がかかり、磁気転写の精度に影響を与える恐れがある。そこで、同図に示す如く、磁界印加手段１１０を磁界印加対象１２０の両面側に各々配置することがなされている。
【０００５】
図示する磁界印加装置では、磁界印加対象１２０を磁界印加手段１１０に対して相対回動させることで、磁界印加対象１２０の全面に、所望方向Ｈｘの磁界を印加することができる。
【特許文献１】特開２００３−２７２１４３号公報
【発明の開示】
【発明が解決しようとする課題】
【０００６】
図７（ａ）の磁界印加装置では、図示矢印線で示す磁界が発生し、磁界印加対象１２０にかかる水平方向の磁界強度分布は、図７（ｂ）に模式的に示されるものとなる。図中、横軸は図７（ａ）に対応した磁界印加対象１２０の水平方向位置、縦軸は所望の磁界方向Ｈｘを＋とした磁界強度である。なお、垂直方向の磁界については、一対の磁界印加手段１１０によって相殺され、磁界印加対象１２０にはかからない。
【０００７】
上記磁界印加装置では、磁界印加手段１１０から種々の方向に磁界が発生し、磁界印加手段１１０の前後（磁界印加対象１２０が一対の磁界印加手段１１０の間に入る直前と、一対の磁界印加手段１１０の間から出た直後）には、磁界印加対象１２０に対して、所望方向Ｈｘとは逆方向の磁界ＨＮＧがかかってしまう。近年、磁気記録媒体の大容量化に伴って、印加する磁界強度は強くなっており、逆方向磁界ＨＮＧが磁気転写に与える影響が無視できなくなってきている。
【０００８】
本発明は上記事情に鑑みてなされたものであり、磁気転写を実施する際に、磁界印加対象に対して、所望方向以外の不要な磁界がかかることを抑制し、高精度な磁気転写を実施することを可能とする、被転写体の初期磁化用及び／又は磁化反転用の磁界印加装置、これを備えた磁気転写装置、及びこの磁気転写装置を用いた磁気記録媒体の製造方法を提供することを目的とするものである。
【課題を解決するための手段】
【０００９】
本発明の磁界印加装置は、被転写体を所定方向に初期磁化した後、該被転写体と転写用原盤とを密着させて、初期磁化方向と反対方向に磁界を印加し、前記転写用原盤の表面パターンに応じて、前記被転写体の磁化を反転させて、信号パターンを転写する磁気転写に用いられ、前記被転写体の初期磁化用及び／又は磁化反転用である磁界印加装置において、
少なくとも磁界印加時に磁界印加対象の両面側に各々互いに対向するよう配置され、所望方向の磁界を発生する一対の磁界印加手段を備え、前記磁界印加手段は、一方から他方へ向かって発生する磁界の方向が所望の磁界方向である、前記磁界印加対象側の極性が異なる一対の磁石部を有するものであり、該一対の磁石部においては、個々の磁石部が、対向する磁石部の側から反対側に向けて、前記磁界印加対象にかかる磁力が、段階的又は連続的に弱くなるよう構成されていることを特徴とする。
【００１０】
本発明において、「磁界印加対象」は、初期磁化用では「被転写体」であり、磁化反転用では「互いに密着された被転写体と転写用原盤」である。
【００１１】
前記一対の磁石部においては、個々の磁石部が、対向する磁石部の側から反対側に向けて、前記磁界印加対象にかかる磁力が弱くなるよう配置された複数の磁石により構成されていることが好ましく、個々の磁石部が、対向する磁石部の側から反対側に向けて、前記磁界印加対象との離間距離が大きくなるよう配置された複数の磁石により構成されていることが特に好ましい。
【００１２】
本発明の磁界印加装置において、前記被転写体がディスク状であり、前記一対の磁界印加手段が前記磁界印加対象に対してトラック方向の磁界を印加するものである場合には、前記一対の磁界印加手段の前記磁界印加対象の中心側に、該磁界印加手段とは逆方向の磁界を発生する逆磁界発生手段をさらに備えていることが好ましい。
【００１３】
本発明の磁界印加装置において、前記一対の磁界印加手段のうち少なくとも一方は、前記一対の磁石部の間に、該一対の磁石部の磁化方向に対して垂直方向に磁化され、前記一対の磁石部の一方から他方へ向かって発生する磁界の方向と同一方向の磁界を発生する永久磁石をさらに備えていることが好ましい。
【００１４】
本発明の磁気転写装置は、被転写体を所定方向に初期磁化した後、該被転写体と転写用原盤とを密着させて、初期磁化方向と反対方向に磁界を印加し、前記転写用原盤の表面パターンに応じて、前記被転写体の磁化を反転させて、信号パターンを転写する磁気転写装置において、前記被転写体の初期磁化用及び／又は磁化反転用として、上記の本発明の磁界印加装置を備えたことを特徴とする。
【００１５】
本発明の磁気記録媒体の製造方法は、被転写体を所定方向に初期磁化した後、該被転写体と転写用原盤とを密着させて、初期磁化方向と反対方向に磁界を印加し、前記転写用原盤の表面パターンに応じて、前記被転写体の磁化を反転させて、信号パターンを転写する磁気記録媒体の製造方法において、上記の本発明の磁界印加装置を用いて、前記被転写体の初期磁化及び／又は磁化反転を実施することを特徴とする。
【発明の効果】
【００１６】
本発明の磁界印加装置では、少なくとも磁界印加時に磁界印加対象の両面側に各々互いに対向するよう配置され、所望方向の磁界を発生する一対の磁界印加手段を備える構成としているので、垂直方向の磁界が一対の磁界印加手段によって相殺され、磁界印加対象に対して、不要な垂直方向磁界がかからない。
【００１７】
さらに、本発明の磁界印加装置では、各磁界印加手段は、一方から他方へ向かって発生する磁界の方向が所望の磁界方向である、磁界印加対象側の極性が異なる一対の磁石部を有するものであり、一対の磁石部においては、個々の磁石部が、対向する磁石部の側から反対側に向けて、磁界印加対象にかかる磁力が、段階的又は連続的に弱くなるよう構成されているので、磁界印加手段の前後における、所望の磁界方向とは逆方向の磁界の発生が抑えられる。
【００１８】
以上のように、本発明の磁界印加装置では、垂直方向磁界と逆方向磁界の発生が抑えられるので、磁界印加対象に対して不要な磁界がかかることが抑制され、高精度な磁気転写を実施することが可能となる。
【発明を実施するための最良の形態】
【００１９】
次に、図面を参照し、本発明に係る実施形態について説明する。各図においては、視認しやすくするため、パターン等は簡略化してある。
【００２０】
本発明の磁界印加装置は、被転写体を所定方向に初期磁化した後、被転写体と転写用原盤とを密着させて、初期磁化方向と反対方向に磁界を印加し、転写用原盤の表面パターンに応じて、被転写体の磁化を反転させて、信号パターンを転写する磁気転写を実施する際に、被転写体の初期磁化用及び／又は磁化反転用として使用されるものである。
【００２１】
「磁気転写原理」
磁界印加装置の説明に先立ち、図１に基づいて、磁気転写原理について説明する。図１は厚み方向断面図である。
【００２２】
転写用原盤及び被転写体としては、平面視、中央開口部を有するディスク状物が使用される（図２の符合３０参照）。図１（ｂ）に示す如く、転写用原盤１０としては、例えば、表面に転写情報に応じた微細な凹凸パターン（転写パターン）Ｐを有する金属製等のマスタ基板１１と、その表面形状に沿って積層された磁性層１２とを備えたマスタ担体等が使用される。被転写体２０としては、片面又は両面に磁気記録層を有するスレーブ媒体が使用される。
【００２３】
図１（ａ）に示す如く、あらかじめ、被転写体（スレーブ媒体）２０に対して、特定トラック方向に磁界Ｈｉｎを印加し、磁気記録層（図示略）を初期磁化させる。図１（ｂ）に示す如く、初期磁化した被転写体２０と転写用原盤１０とを密着させて、初期磁化方向と反対方向の磁界Ｈｄｕを印加する。この際、転写用磁界Ｈｄｕは、転写用原盤１０において、被転写体２０と密着した磁性層１２の凸部１２ａにのみ略選択的に吸い込まれる。その結果、被転写体２０の磁気記録層では、凸部１２ａに密着した部分の初期磁化は反転せず、その他の部分の初期磁化が反転し、転写用原盤１０の凹凸パターンＰに応じた磁化パターンが被転写体２０に磁気転写され、磁気記録媒体が製造される。
【００２４】
「磁界印加装置」
（第1実施形態）
次に、図２に基づいて、本発明に係る第１実施形態の磁界印加装置について説明する。図２において、（ａ）は斜視図、（ｂ）は上面図である。図中、磁界印加対象には、符号３０を付してある。「磁界印加対象」は、初期磁化用では「被転写体２０」であり、磁化反転用では「互いに密着された被転写体２０と転写用原盤１０」である。
【００２５】
磁界印加装置１は、少なくとも磁界印加時に磁界印加対象３０の両面側に各々互いに対向するよう配置され、所望方向Ｈｘの磁界を発生する一対の磁界印加手段４０を主として構成されている。一対の磁界印加手段４０は、磁界印加対象３０の中央開口部３１から見て一方の側にのみ配置される。所望の磁界方向Ｈｘは、初期磁化では図１のＨｉｎ、磁化反転では図１のＨｄｕである。
【００２６】
磁界印加対象３０は、好ましくは、特開２００３−２７２１４３号公報の図４に示すような、一対の挟持部材から概略構成される開閉自在なホルダ（図示略）により保持され、ホルダの外側から磁界が印加される。
【００２７】
個々の磁界印加手段４０は、一方から他方へ向かって発生する磁界の方向が所望方向Ｈｘである、磁界印加対象３０側の極性が異なる一対の磁石部４１、４２を有するものである。磁石部４１、４２の極性は、所望の磁界方向Ｈｘに応じて設計される。図示する例では、磁石部４１は磁界印加対象３０側がＮ極で他側がＳ極であり、磁石部４２は磁界印加対象３０側がＳ極で他側がＮ極であり、磁石部４１から磁石部４２に向かって発生する磁界の方向が所望の磁界方向Ｈｘとなっている。所望方向Ｈｘが図示とは逆方向の場合には、磁石部４１は磁界印加対象３０側をＳ極、磁石部４２の磁界印加対象３０側をＮ極とすればよい。
【００２８】
磁石部４１と磁石部４２の間隙ａは、磁界発生領域の面積と発生する磁界強度等から適宜設計され、制限されない。例えば、間隙ａは０ｍｍ（間隙がない状態）〜１０ｍｍとされる。
【００２９】
磁石部４１は、対向する磁石部４２の側から反対側に向けて、磁界印加対象３０にかかる磁力が、段階的に弱くなるよう配置された３個の磁石４１ａ〜４１ｃ（いずれも磁界印加対象３０側がＮ極で他側がＳ極）により構成されている。磁石４１ａ〜４１ｃは、磁界印加対象３０と反対側は面一であるが、磁界印加対象３０側の面位置が、対向する磁石部４２の側から、磁界印加対象３０との離間距離ｂ１〜ｂ３が段階的に大きくなるよう構成されている（ｂ１＜ｂ２＜ｂ３）。磁石部４０の取扱い性等を考慮すれば、磁石４１ａ〜４１ｃは互いに隙間なく接合されていることが好ましい。ただし、磁石４１ａ〜４１ｃは互いに離間配置されても差し支えない。
【００３０】
磁石部４２は、磁石部４１と同様、対向する磁石部４１の側から反対側に向けて、磁界印加対象３０との離間距離が段階的に大きくなるよう配置された３個の磁石４２ａ〜４２ｃにより構成されている。磁石部４１と磁石部４２とは、これらの間隙中心面（間隙がない場合は接合面）に対して、互いに面対称な関係にある。
【００３１】
磁石部４１、４２をなす磁石４１ａ〜４１ｃ、４２ａ〜４２ｃの種類は制限されず、永久磁石等が好ましく用いられる。
【００３２】
磁界印加装置１では、磁界印加対象３０を一対の磁界印加手段４０に対して任意のトラック方向に相対回動することで、磁界印加対象３０の全面に特定トラック方向Ｈｘの磁界を印加することができる。
【００３３】
磁界印加装置１では、図３（ａ）に矢印線で示す磁界が発生し、磁界印加対象３０にかかる水平方向の磁界強度分布は、図３（ｂ）に模式的に示されるものとなる。図３（ａ）は、磁界印加対象３０の中央開口部３１側から見た側面図である。図３（ｂ）において、横軸は図３（ａ）に対応した磁界印加対象３０のトラック方向位置、縦軸は所望の磁界方向Ｈｘを＋とした磁界強度である。なお、垂直方向の磁界は、磁界印加対象３０の両面側に対称的に配置された一対の磁界印加手段４０によって相殺されるので、磁界印加対象３０にはかからない。
【００３４】
磁界印加装置１では、磁石４１ａ〜４１ｃ及び磁石４２ａ〜４２ｃについて、各々、Ｎ極からＳ極に向かう磁界が発生し、個々の磁石について、所望方向Ｈｘとは逆方向の磁界（例えば、Ｈｙ）が発生する。しかしながら、個々の磁石について発生するこの逆方向磁界は、すぐ外側に隣接する磁石から発生する所望方向Ｈｘの磁界によって打ち消され、弱められる。磁石部４１、４２をなす最外側の磁石４１ｃ、４２ｃについては、外側に隣接する磁石がないため、磁石４１ｃ、４２ｃから発生する逆方向磁界は残ることになる。
【００３５】
ここで、本実施形態では、磁石４１ａ〜４１ｃ、磁石４２ａ〜４２ｃは、磁界印加対象３０との離間距離ｂ１〜ｂ３が段階的に大きくなるよう設定され、磁界印加対象３０にかかる磁力が、段階的に弱くなるよう設定されているので、図３（ｂ）に示す如く、磁界印加対象３０にかかる逆方向の磁界強度は従来に比して、はるかに小さいものとなる（図中、破線は、図７（ｂ）に示した従来の磁界印加装置の磁界強度分布である。）。
【００３６】
上記のように、本実施形態の磁界印加装置１では、一対の磁界印加手段４０によって垂直方向の磁界が相殺されるので、磁界印加対象３０に対して、不要な垂直方向磁界がかからない。
【００３７】
また、磁界印加装置１では、各磁界印加手段４０は、一方から他方へ向かって発生する磁界の方向が所望方向Ｈｘである、磁界印加対象３０側の極性が異なる一対の磁石部４１、４２を有するものであり、一対の磁石部４１、４２は、個々の磁石部が、対向する磁石部の側から反対側に向けて、磁界印加対象３０にかかる磁力が、段階的に弱くなるよう構成されているので、磁界印加手段４０の前後（磁界印加対象３０が一対の磁界印加手段４０の間に入る直前と、一対の磁界印加手段４０の間から出た直後）における、所望方向Ｈｘとは逆方向の磁界の発生が抑えられる。
【００３８】
このように、垂直方向磁界と逆方向磁界の発生がいずれも抑えられるので、磁界印加装置１を用いて磁気転写を実施することで、磁界印加対象３０に対して、所望方向Ｈｘ以外の不要な磁界がかかることが抑制され、高精度な磁気転写を実施することが可能となる。また、本実施形態の磁気転写装置１を用いて、被転写体２０の初期磁化及び／又は磁化反転を実施することで、磁気転写精度が良好な磁気記録媒体が製造できる。
【００３９】
（第２実施形態）
次に、図４、図５（ａ）（これらは図２に対応する図）に基づいて、本発明に係る第２実施形態の磁界印加装置について説明する。第１実施形態と同じ構成要素には、同じ参照符号を付し、説明を省略する。
【００４０】
本実施形態の磁界印加装置２は、第１実施形態の磁界印加装置１を基本とし、一対の磁界印加手段４０の磁界印加対象３０の中心側に、各々、磁界印加手段４０とは逆方向の磁界を発生する逆磁界発生手段５０をさらに備えたものである。本実施形態では、逆磁界発生手段５０は、磁界印加対象３０の中央開口部３１の開口領域に配置されている。
【００４１】
なお、下面側の磁界印加手段４０及び逆磁界発生手段５０については、上面側と対称であるので、図示を省略してある。
【００４２】
逆磁界発生手段５０は、一方から他方へ向かって発生する磁界の方向が、所望方向Ｈｘとは逆方向である、磁界印加対象３０側の極性が異なる一対の磁石部５１、５２により構成されている。磁石部５１、５２は、磁界印加手段４０をなす一対の磁石部４１、４２の間隙中心面（間隙がない場合は接合面）に対して、面対称に配置されている。図示する例では、磁石部４１側の磁石部５１は、磁界印加対象３０側がＳ極で他側がＮ極であり（磁石部４１とは極性が逆）、磁石部４２側の磁石部５２は、磁界印加対象３０側がＮ極で他側がＳ極である（磁石部４２とは極性が逆）。
【００４３】
磁石部５１、５２が隙間なく接合されたものについて図示してあるが、一対の磁石部５１、５２は離間配置されていてもよい。また、磁石部４１と磁石部５１、磁石部４２と磁石部５２が重なっていない場合について図示してあるが、磁石部４１と磁石部５１、磁石部４２と磁石部５２は、少なくとも一部が重なるよう構成することが好ましい。特に、磁石部５１と磁石部５２とを接合し、かつ磁石部４１と磁石部５１、及び磁石部４２と磁石部５２を各々少なくとも一部接合することで、磁石部４１、４２及び磁石部５１、５２が互いに固着されたものとなるので、取扱い性等が良好となり、好ましい。
【００４４】
逆磁界発生手段５０のない第１実施形態の磁界印加装置１では、図５（ｂ）に示す如く、磁界印加装置１によって印加する所望方向Ｈｘの磁界が、磁界印加対象３０の中央開口部３１を挟んで、磁界印加装置１により磁界印加を受ける領域と対称的な位置にある領域Ｐに及ぶ恐れがある。この磁界は、領域Ｐでは逆方向磁界になる。
【００４５】
しかしながら、本実施形態では、一対の磁界印加手段４０の磁界印加対象３０の中心側に、各々、逆磁界発生手段５０をさらに備える構成としているので、磁界印加対象３０に対して、一対の磁界印加手段４０で挟まれた領域については、所望方向Ｈｘの磁界を印加しつつ、一対の磁界印加手段４０から磁界印加対象３０の中心側に向けて横方向に広がる不要な磁界を打ち消すことができる。
【００４６】
なお、本実施形態では、逆磁界発生手段５０を磁界印加対象３０の中央開口部３１の開口領域にのみ設ける構成としたが、逆磁界発生手段５０による磁界印加方向は領域Ｐでは所望の磁界印加方向であるので、逆磁界発生手段５０は、中央開口部３１の開口領域から領域Ｐ（中央開口部３１を挟んで、磁界印加手段４０により磁界印加を受ける領域と対称的な位置にある領域）に渡って配置してもよい。
【００４７】
本実施形態の磁界印加装置２によれば、第１実施形態の磁界印加装置１を基本とし、磁界印加手段４０の磁界印加対象３０の中心側に、逆磁界発生手段５０を備える構成としているので、第１実施形態と同様の効果を奏しつつ、一対の磁界印加手段４０から磁界印加対象３０の中心側に向けて横方向に広がる磁界によって、磁界印加対象３０の中央開口部３１を挟んで、磁界印加装置１による磁界印加を受ける領域と対称的な位置にある領域Ｐにかかる逆方向の磁界を抑えることができ、より一層、精度の高い磁気転写を実施することが可能となる。
【００４８】
（第３実施形態）
次に、図６に基づいて、本発明に係る第３実施形態の磁界印加装置について説明する。第１実施形態と同じ構成要素には、同じ参照符号を付し、説明を省略する。
【００４９】
本実施形態の磁界印加装置３は、第１実施形態の磁界印加装置１を基本とし、個々の磁界印加手段４０の一対の磁石部４１、４２の間に、一対の磁石部４１、４２の磁化方向に対して垂直方向に磁化され、一対の磁石部４１、４２の一方から他方へ向かって発生する磁界の方向と同一方向の磁界（すなわち、所望方向Ｈｘの磁界）を発生する永久磁石６０をさらに備えたものである。図示する例では、永久磁石６０は、磁石部４１側がＮ極で磁石部４２側がＳ極である。
【００５０】
本実施形態の磁界印加装置３では、第１実施形態の構成を基本とし、さらに上記永久磁石６０を設ける構成としているので、第１実施形態と同様の効果を奏しつつ、所望方向Ｈｘの磁界の発生強度を高め、磁気記録媒体の容量を高めることができるという効果も奏する。なお、一対の磁界印加手段４０の双方に永久磁石６０を設けることが好ましいが、永久磁石６０は、少なくとも一方の磁界印加手段４０に設ければよい。
【００５１】
（設計変更例）
本発明の磁界印加装置は、上記の第１〜第３実施形態に限定されるものではなく、本発明の趣旨を逸脱しない範囲内において、適宜設計変更可能である。
【００５２】
例えば、磁界印加手段４０を構成する磁石部４１、４２が、各々、３個の磁石４１ａ〜４１ｃ、４２ａ〜４２ｃからなる場合についてのみ説明したが、磁石の数は適宜設計できる。磁石部４１と磁石部４２は対称であることも必須ではなく、磁石部４１と磁石部４２で、磁石の数を変えることも差し支えない。また、磁石部４１、４２は各々、磁石４１ａ〜４１ｃ、４２ａ〜４２ｃが接合した形状の１個の磁石により構成することもできる。
【００５３】
複数の磁石４１ａ〜４１ｃ、４２ａ〜４２ｃが、磁界印加対象３０との離間距離が段階的に大きくなるよう配置された場合についてのみ説明したが、磁石４１ａ〜４１ｃ、４２ａ〜４２ｃの磁界印加対象３０からの離間距離を変える代わりに、磁石の材質を変更するなどして、磁石部４１、４２を、対向する磁石部の側から反対側に向けて、磁界印加対象３０にかかる磁力が弱くなるよう構成してもよい。
【００５４】
また、個々の磁石部４１、４２が、対向する磁石部の側から反対側に向けて、磁界印加対象３０にかかる磁力が「段階的」に弱くなる構成についてのみ説明したが、複数の磁石４１ａ〜４１ｃ、４２ａ〜４２ｃの下面側を斜面とするなどして、個々の磁石部４１、４２が、対向する磁石部の側から反対側に向けて、磁界印加対象３０にかかる磁力が「連続的」に弱くなるよう構成することもできる。ただし、磁石部４１、４２の製造容易性等を考慮すれば、下面が平坦な複数の磁石を組み合わせて、磁石部４１、４２を構成することが好ましい。
【００５５】
いずれの設計変更例においても、磁界印加手段４０をなす一対の磁石部４１、４２は、個々の磁石部が、対向する磁石部の側から反対側に向けて、磁界印加対象３０にかかる磁力が、段階的又は連続的に弱くなるよう構成されているので、磁界印加手段４０の前後における、所望方向の磁界Ｈｘとは逆方向の磁界の発生が抑えられ、高精度な磁気転写を実施することが可能となる。
【００５６】
「磁気転写装置」
次に、本発明の磁気転写装置について簡単に説明する。
【００５７】
磁気転写装置は、例えば、磁化されていない被転写体２０を収容する被転写体収容部（図示略）と、被転写体２０を初期磁化する初期磁化部（図示略）と、初期磁化された被転写体２０と転写用原盤１０とを密着させ、初期磁化方向と反対方向に磁界を印加し、被転写体２０の磁化を反転させて、信号パターンを転写する磁化反転部（図示略）と、被転写体収容部から初期磁化部、及び初期磁化部から磁化反転部に、被転写体２０を移送する移送手段とから概略構成される。磁化反転部が初期磁化部を兼ねる場合もある。
【００５８】
初期磁化部は、例えば、被転写体２０に磁界を印加する磁界印加装置と、被転写体２０を磁界印加装置に対して相対回動する相対回動手段とから概略構成される。初期磁化部には、必要に応じて、被転写体２０を着脱自在に保持する開閉自在なホルダが備えられる。
【００５９】
磁化反転部は、例えば、転写用原盤１０及び被転写体２０を着脱自在に保持する開閉自在なホルダと、ホルダの外側から転写用原盤１０及び被転写体２０に磁界を印加する磁界印加装置と、ホルダを磁界印加装置に対して相対回動する相対回動手段とから概略構成される。
【００６０】
初期磁化部と磁化反転部には、異なる磁界印加装置が使用されてもよいし、同一の磁界印加装置が使用されてもよい。いずれにせよ、本発明の磁気転写装置では、被転写体２０の初期磁化用及び／又は磁化反転用として、本発明の磁界印加装置を備える。
【００６１】
本発明の磁気転写装置は、被転写体２０の初期磁化用及び／又は磁化反転用として、本発明の磁界印加装置を備えたものであるので、初期磁化及び／又は磁化反転に際して、磁界印加対象３０に対して不要な磁界がかかることが抑制され、高精度な磁気転写を実施することが可能となる。
【産業上の利用可能性】
【００６２】
本発明の磁界印加装置は、表面に所定の凹凸パターンを有する転写用原盤を被転写体に密着させ、転写用原盤の凹凸パターンに応じた情報を転写する磁気転写に、好ましく適用することができる。
【図面の簡単な説明】
【００６３】
【図１】磁気転写原理を示す図である。
【図２】本発明に係る第１実施形態の磁界印加装置の斜視図及び上面図である。
【図３】図２の磁界印加装置の磁界発生方向と磁界強度分布を示す図である。
【図４】本発明に係る第２実施形態の磁界印加装置の斜視図である。
【図５】図４の磁界印加装置の上面図、及び図４の磁界印加装置と図２の磁界印加装置の相違点を示す図である。
【図６】本発明に係る第３実施形態の磁界印加装置の斜視図である。
【図７】従来の磁界印加装置の磁界発生方向と磁界強度分布を示す図である。
【符号の説明】
【００６４】
１、２、３ 磁界印加装置
１０  転写用原盤
２０  被転写体
３０  磁界印加対象
４０  磁界印加手段
４１、４２  磁石部
４１ａ〜４１ｃ、４２ａ〜４２ｃ  磁石
５０  逆磁界発生手段
５１、５２  磁石部
６０  永久磁石
【図１】
2006202360.tif 000003
【図２】
2006202360.tif 000004
【図３】
2006202360.tif 000005
【図４】
2006202360.tif 000006
【図５】
2006202360.tif 000007
【図６】
2006202360.tif 000008
【図７】
2006202360.tif 000009